【手続補正書】
【提出日】平成29年12月13日(2017.12.13)
【手続補正１】
【補正対象書類名】特許請求の範囲
【補正対象項目名】全文
【補正方法】変更
【補正の内容】
【特許請求の範囲】
【請求項１】
ワイヤレスネットワーク上で通信する方法であって、
アクセスポイントによって、前記アクセスポイントのサービスセット識別子に基づいて周期的冗長検査値を生成することと、前記周期的冗長検査値は、長さが４オクテットとなるよう生成される、
アクセスポイントによって、高速イニシャルリンクセットアップ発見フレームとしてフレームを生成することと、前記フレームは、
前記周期的冗長検査値の第１のインジケーションと、
前記周期的冗長検査値の前記第１のインジケーションのフォーマットの第２のインジケーションと、
を備え、
前記フレームを送信することと、
を備える、方法。
【請求項２】
前記フレームがハッシュされたサービスセット識別子を含むことを示す値を有するように前記第２のインジケーションを生成することをさらに備える、請求項１に記載の方法。
【請求項３】
前記周期的冗長検査値を生成することは、前記サービスセット識別子を切り詰めることを備える、請求項１に記載の方法。
【請求項４】
前記切り詰められたサービスセット識別子を示すために、前記フレームの制御フィールド中にサービスセット識別子情報フィールドを生成することをさらに備える、請求項３に記載の方法。
【請求項５】
前記フレームを周期的に送信することをさらに備える、請求項１に記載の方法。
【請求項６】
前記フレームは、５００ミリ秒未満の時間間隔で送信される、請求項５に記載の方法。
【請求項７】
ワイヤレスネットワーク上で通信するための装置であって、
アクセスポイントのサービスセット識別子に基づいて周期的冗長検査値を生成することと、前記周期的冗長検査値は、長さが４オクテットとなるよう生成される、
高速イニシャルリンクセットアップ発見フレームとしてフレームを生成することと、を行うように構成されるプロセッサと、前記フレームは、
前記周期的冗長検査値の第１のインジケーションと、
前記周期的冗長検査値の前記第１のインジケーションのフォーマットの第２のインジケーションと、
を備え、
前記フレームを送信するように構成された送信機と、
を備える、装置。
【請求項８】
前記プロセッサは、前記フレームがハッシュされたサービスセット識別子を含むことを示す値を有するように前記第２のインジケーションを生成するようにさらに構成される、請求項７に記載の装置。
【請求項９】
前記周期的冗長検査値を生成することは、前記サービスセット識別子を切り詰めることを備える、請求項７に記載の装置。
【請求項１０】
前記プロセッサは、前記切り詰められたサービスセット識別子を示すために、前記フレームの制御フィールド中にサービスセット識別子情報フィールドを生成するようにさらに構成される、請求項９に記載の装置。
【請求項１１】
前記プロセッサは、前記フレームを周期的に送信するようにさらに構成される、請求項７に記載の装置。
【請求項１２】
前記フレームは、５００ミリ秒未満の時間間隔で送信される、請求項１１に記載の装置。
【請求項１３】
ワイヤレスネットワーク上で通信するための装置であって、
アクセスポイントのサービスセット識別子に基づいて周期的冗長検査値を生成するための手段と、前記周期的冗長検査値は、長さが４オクテットとなるよう生成される、
高速イニシャルリンクセットアップ発見フレームとしてフレームを生成するための手段と、前記フレームは、
前記周期的冗長検査値の第１のインジケーションと、
前記周期的冗長検査値の前記第１のインジケーションのフォーマットの第２のインジケーションと、
を備え、
前記フレームを送信するための手段と、
を備える、装置。
【請求項１４】
前記周期的冗長検査値を生成するための前記手段は、前記ハッシュを生成するために前記サービスセット識別子を切り詰めるように構成される、請求項１３に記載の装置。
【請求項１５】
前記切り詰められたサービスセット識別子を示すために、前記フレームの制御フィールド中にサービスセット識別子情報フィールドを生成するための手段をさらに備える、請求項１４に記載の装置。
【請求項１６】
前記フレームがハッシュされたサービスセット識別子を含むことを示す値を有するように前記第２のインジケーションを生成するための手段をさらに備える、請求項１３に記載の装置。
【請求項１７】
前記フレームを周期的に送信するための手段をさらに備える、請求項１３に記載の装置。
【請求項１８】
前記フレームを周期的に送信するための前記手段は、５００ミリ秒未満の時間間隔で、前記フレームを生成および送信するように構成される、請求項１７に記載の装置。
【請求項１９】
実行されるとプロセッサに、ワイヤレスネットワーク上で通信させる命令を備える非一時的なコンピュータ可読記憶媒体であって、
アクセスポイントのサービスセット識別子に基づいて周期的冗長検査値を生成し、前記周期的冗長検査値は、長さが４オクテットとなるよう生成される、
アクセスポイントによって、高速イニシャルリンクセットアップ発見フレームとしてフレームを生成し、前記フレームは、
前記周期的冗長検査値の第１のインジケーションと、
前記周期的冗長検査値の前記第１のインジケーションのフォーマットの第２のインジケーションと、
を備え、
前記フレームを送信する、
ための命令を備える、非一時的なコンピュータ可読記憶媒体。
【請求項２０】
前記媒体は、前記フレームがハッシュされたサービスセット識別子を含むことを示す値を有するように前記第２のインジケーションを生成するための命令をさらに備える、請求項１９に記載のコンピュータ可読記憶媒体。
【請求項２１】
前記周期的冗長検査値を生成することは、前記サービスセット識別子を切り詰めることを備える、請求項１９に記載のコンピュータ可読記憶媒体。
【請求項２２】
前記媒体は、前記切り詰められたサービスセット識別子を示すために、前記フレームの制御フィールド中にサービスセット識別子情報フィールドを生成するための命令をさらに備える、請求項２１に記載のコンピュータ可読記憶媒体。
【請求項２３】
前記媒体は、前記フレームを周期的に送信するための命令をさらに備える、請求項１９に記載のコンピュータ可読記憶媒体。
【請求項２４】
前記フレームは、５００ミリ秒未満の時間間隔で送信される、請求項２３に記載のコンピュータ可読記憶媒体。
【請求項２５】
ワイヤレスネットワーク上で通信する方法であって、
アクセスポイントから、高速イニシャルリンクセットアップ発見フレームを受信することと、前記フレームは、
前記アクセスポイントのサービスセット識別子の周期的冗長検査値の第１のインジケーションと、前記周期的冗長検査値は、長さが４オクテットである、
前記周期的冗長検査値の前記第１のインジケーションのフォーマットの第２のインジケーションと、
を備え、
前記アクセスポイントの前記サービスセット識別子を決定するために、前記第２のインジケーションに基づいて前記第１のインジケーションを復号することと、
前記アクセスポイントの前記サービスセット識別子に基づいて前記アクセスポイントと通信することと、
を備える、方法。
【請求項２６】
前記第２のインジケーションに基づいて前記第１のインジケーションの長さを決定することと、前記長さに基づいて前記第１のインジケーションを復号することと、をさらに備える、請求項２５に記載の方法。
【請求項２７】
前記アクセスポイントと通信することは、前記アクセスポイントと関連付けることを含む、請求項２５に記載の方法。
【請求項２８】
前記アクセスポイントと通信することは、前記アクセスポイントとの１つ以上のメッセージ交換に、前記第１のインジケーションを含めることを備える、請求項２５に記載の方法。
【請求項２９】
ワイヤレスネットワーク上で通信するための装置であって、
アクセスポイントから、高速イニシャルリンクセットアップ発見フレームを受信するように構成される受信機と、前記フレームは、
前記アクセスポイントのサービスセット識別子の周期的冗長検査値の第１のインジケーションと、前記周期的冗長検査値は、長さが４オクテットである、
前記周期的冗長検査値の前記第１のインジケーションのフォーマットの第２のインジケーションと、
を備え、
プロセッサと、を備え、前記プロセッサは、
前記アクセスポイントの前記サービスセット識別子を決定するために、前記第２のインジケーションに基づいて前記第１のインジケーションを復号し、
前記アクセスポイントの前記サービスセット識別子に基づいて前記アクセスポイントと通信するように構成される、
装置。
【請求項３０】
前記プロセッサは、前記第２のインジケーションに基づいて前記第１のインジケーションの長さを決定し、前記長さに基づいて前記第１のインジケーションを復号するようにさらに構成される、請求項２９に記載の装置。
【請求項３１】
前記アクセスポイントと通信することは、前記アクセスポイントと関連付けることを含む、請求項２９に記載の装置。
【請求項３２】
前記アクセスポイントと通信することは、前記アクセスポイントとの１つ以上のメッセージ交換に、前記第１のインジケーションを含めることを備える、請求項２９に記載の装置。
【請求項３３】
ワイヤレスネットワーク上で通信するための装置であって、
アクセスポイントから、高速イニシャルリンクセットアップ発見フレームを受信するための手段と、前記フレームは、
前記アクセスポイントのサービスセット識別子の周期的冗長検査値の第１のインジケーションと、前記周期的冗長検査値は、長さが４オクテットである、
前記周期的冗長検査値の前記第１のインジケーションのフォーマットの第２のインジケーションと、
を備え、
前記アクセスポイントの前記サービスセット識別子を決定するために、前記第２のインジケーションに基づいて前記第１のインジケーションを復号するための手段と、
前記アクセスポイントの前記サービスセット識別子に基づいて前記アクセスポイントと通信するための手段と、
を備える、装置。
【請求項３４】
前記第２のインジケーションに基づいて前記第１のインジケーションの長さを決定するための手段をさらに備え、
前記第１のインジケーションを復号するための前記手段は、前記長さに基づいて前記第１のインジケーションを復号するように構成される、請求項３３に記載の装置。
【請求項３５】
通信するための前記手段は、前記第１のインジケーションに基づいて前記アクセスポイントと関連付けるように構成される、請求項３３に記載の装置。
【請求項３６】
通信するための前記手段は、前記アクセスポイントとの１つ以上のメッセージ交換に、前記第１のインジケーションを含めるように構成される、請求項３３に記載の装置。
【請求項３７】
実行されるとプロセッサに、ワイヤレスネットワーク上で通信させる命令を備える非一時的なコンピュータ可読記憶媒体であって、
アクセスポイントから、高速イニシャルリンクセットアップ発見フレームを受信し、前記フレームは、
前記アクセスポイントのサービスセット識別子の周期的冗長検査値の第１のインジケーションと、前記周期的冗長検査値は、長さが４オクテットである、
前記周期的冗長検査値の前記第１のインジケーションのフォーマットの第２のインジケーションと、
を備え、
前記アクセスポイントの前記サービスセット識別子を決定するために、前記第２のインジケーションに基づいて前記第１のインジケーションを復号し、
前記アクセスポイントの前記サービスセット識別子に基づいて前記アクセスポイントと通信する
ための命令を備える、非一時的なコンピュータ可読記憶媒体。
【請求項３８】
前記媒体は、前記第２のインジケーションに基づいて前記第１のインジケーションの長さを決定するための命令をさらに備え、
前記第１のインジケーションの前記復号は、前記長さに基づく、
請求項３７に記載のコンピュータ可読記憶媒体。
【請求項３９】
前記アクセスポイントと通信することは、前記アクセスポイントと関連付けることを含む、請求項３７に記載のコンピュータ可読記憶媒体。
【請求項４０】
前記アクセスポイントと通信することは、前記アクセスポイントとの１つ以上のメッセージ交換において前記第１のインジケーションを含むことを備える、請求項３７に記載のコンピュータ可読記憶媒体。
【手続補正２】
【補正対象書類名】明細書
【補正対象項目名】００９１
【補正方法】変更
【補正の内容】
【００９１】
[0099]前述の内容が本開示の態様に向けられる一方、本開示の他のおよびさらなる態様は、その基本的な範囲から逸脱することなく考案されることがあり得、その範囲は、次の特許請求の範囲によって決定される。
以下に、本願の出願当初の特許請求の範囲に記載された発明を付記する。
［Ｃ１］
ワイヤレスネットワーク上で通信する方法であって、
アクセスポイントによって、フレームを生成することと、前記フレームは、
前記アクセスポイントのサービスセット識別子の第１のインジケーションと、
前記第１のインジケーションのフォーマットの第２のインジケーションと、
を備え、
前記フレームを送信することと、
を備える、方法。
［Ｃ２］
前記サービスセット識別子に基づいてハッシュを生成することと、
前記ハッシュと等しい値を有するように前記第１のインジケーションを生成することと、
をさらに備える、Ｃ１に記載の方法。
［Ｃ３］
前記フレームがハッシュされたサービスセット識別子を含むことを示す値を有するように前記第２のインジケーションを生成することをさらに備える、Ｃ２に記載の方法。
［Ｃ４］
前記サービスセット識別子をハッシュすることは、前記サービスセット識別子に基づいて４オクテット周期的冗長検査（ＣＲＣ）値を生成することを備える、Ｃ２に記載の方法。
［Ｃ５］
前記サービスセット識別子をハッシュすることは、前記サービスセット識別子を切り詰めることを備える、Ｃ２に記載の方法。
［Ｃ６］
前記切り詰められたサービスセット識別子を示すために、前記フレームの制御フィールド中にサービスセット識別子情報フィールドを生成することをさらに備える、Ｃ５に記載の方法。
［Ｃ７］
前記サービスセット識別子をハッシュすることは、前記ハッシュを前記サービスセット識別子の最初の４オクテットに設定することを備える、Ｃ２に記載の方法。
［Ｃ８］
前記第１のインジケーションに記憶された前記ハッシュが前記サービスセット識別子の最初の４オクテットであることを示すために、前記フレームの制御フィールド中にサービスセット識別子情報フィールドを生成することをさらに備える、Ｃ７に記載の方法。
［Ｃ９］
前記フレームがフルレングスのサービスセット識別子を含むことを示す値を有するように前記第２のインジケーションを生成することと、
前記サービスセット識別子を含むように前記フレームを生成することと、
をさらに備える、Ｃ１に記載の方法。
［Ｃ１０］
前記フレームを周期的に送信することをさらに備える、Ｃ１に記載の方法。
［Ｃ１１］
前記フレームは、５００ミリ秒未満の時間間隔で送信される、Ｃ１０に記載の方法。
［Ｃ１２］
高速イニシャルリンクセットアップ発見フレームとして前記フレームを生成することをさらに備える、Ｃ１に記載の方法。
［Ｃ１３］
ワイヤレスネットワーク上で通信するための装置であって、
アクセスポイントによって、フレームを生成するように構成されるプロセッサと、前記フレームは、
前記アクセスポイントのサービスセット識別子の第１のインジケーションと、
前記第１のインジケーションのフォーマットの第２のインジケーションと、
を備え、
前記フレームを送信するように構成された送信機と、
を備える、装置。
［Ｃ１４］
前記プロセッサは、
前記サービスセット識別子に基づいてハッシュを生成し、
前記ハッシュと等しい値を有するように前記第１のインジケーションを生成するようにさらに構成される、Ｃ１３に記載の装置。
［Ｃ１５］
前記プロセッサは、前記フレームがハッシュされたサービスセット識別子を含むことを示す値を有するように前記第２のインジケーションを生成するようにさらに構成される、Ｃ１４に記載の装置。
［Ｃ１６］
前記サービスセット識別子をハッシュすることは、前記サービスセット識別子に基づいて４オクテット周期的冗長検査（ＣＲＣ）値を生成することを備える、Ｃ１４に記載の装置。
［Ｃ１７］
前記サービスセット識別子をハッシュすることは、前記サービスセット識別子を切り詰めることを備える、Ｃ１４に記載の装置。
［Ｃ１８］
前記プロセッサは、前記切り詰められたサービスセット識別子を示すために、前記フレームの制御フィールド中にサービスセット識別子情報フィールドを生成するようにさらに構成される、Ｃ１７に記載の装置。
［Ｃ１９］
前記サービスセット識別子をハッシュすることは、前記ハッシュを前記サービスセット識別子の最初の４オクテットに設定することを備える、Ｃ１４に記載の装置。
［Ｃ２０］
前記プロセッサは、前記第１のインジケーションに記憶された前記ハッシュが前記サービスセット識別子の最初の４オクテットであることを示すために、前記フレームの制御フィールド中にサービスセット識別子情報フィールドを生成するようにさらに構成される、Ｃ１９に記載の装置。
［Ｃ２１］
前記プロセッサは、
前記フレームがフルレングスのサービスセット識別子を含むことを示す値を有するように前記第２のインジケーションを生成し、
前記サービスセット識別子を含むように前記フレームを生成するようにさらに構成される、Ｃ１３に記載の装置。
［Ｃ２２］
前記プロセッサは、前記フレームを周期的に送信するようにさらに構成される、Ｃ１３に記載の装置。
［Ｃ２３］
前記フレームは、５００ミリ秒未満の時間間隔で送信される、Ｃ２２に記載の装置。
［Ｃ２４］
前記プロセッサは、高速イニシャルリンクセットアップ発見フレームとして前記フレームを生成するようにさらに構成される、Ｃ１３に記載の装置。
［Ｃ２５］
ワイヤレスネットワーク上で通信するための装置であって、
アクセスポイントによって、フレームを生成するための手段と、前記フレームは、
前記アクセスポイントのサービスセット識別子の第１のインジケーションと、
前記第１のインジケーションのフォーマットの第２のインジケーションと、
を備え、
前記フレームを送信するための手段と、
を備える、装置。
［Ｃ２６］
前記サービスセット識別子に基づいてハッシュを生成するための手段と、
前記ハッシュと等しい値を有するように前記第１のインジケーションを生成するための手段をさらに備える、Ｃ２５に記載の装置。
［Ｃ２７］
前記ハッシュを生成するための前記手段は、前記ハッシュを生成するために前記サービスセット識別子を切り詰めるように構成される、Ｃ２６に記載の装置。
［Ｃ２８］
前記切り詰められたサービスセット識別子を示すために、前記フレームの制御フィールド中にサービスセット識別子情報フィールドを生成するための手段をさらに備える、Ｃ２７に記載の装置。
［Ｃ２９］
前記ハッシュを生成するための前記手段は、前記ハッシュを前記サービスセット識別子の最初の４オクテットに設定するように構成される、Ｃ２６に記載の装置。
［Ｃ３０］
前記第１のインジケーションに記憶された前記ハッシュが前記サービスセット識別子の最初の４オクテットであることを示すために、前記フレームの制御フィールド中にサービスセット識別子情報フィールドを生成するための手段をさらに備える、Ｃ２９に記載の装置。
［Ｃ３１］
前記フレームがハッシュされたサービスセット識別子を含むことを示す値を有するように前記第２のインジケーションを生成するための手段をさらに備える、Ｃ２６に記載の装置。
［Ｃ３２］
前記ハッシュを生成するための前記手段は、前記ハッシュを生成するために前記サービスセット識別子に基づいて４オクテット周期的冗長検査（ＣＲＣ）値を生成するように構成される、Ｃ２６に記載の装置。
［Ｃ３３］
前記フレームがフルレングスのサービスセット識別子を含むことを示す値を有するように前記第２のインジケーションを生成するための手段と、
前記サービスセット識別子を含むように前記フレームを生成するための手段と、
をさらに備える、Ｃ２５に記載の装置。
［Ｃ３４］
前記フレームを周期的に送信するための手段をさらに備える、Ｃ２５に記載の装置。
［Ｃ３５］
前記フレームを周期的に送信するための前記手段は、５００ミリ秒未満の時間間隔で、前記フレームを生成および送信するように構成される、Ｃ３４に記載の装置。
［Ｃ３６］
高速イニシャルリンクセットアップ発見フレームとして前記フレームを生成するための手段をさらに備える、Ｃ２５に記載の装置。
［Ｃ３７］
実行されるとプロセッサに、ワイヤレスネットワーク上で通信させる命令を備えるコンピュータ可読記憶媒体であって、
アクセスポイントによって、フレームを生成し、前記フレームは、
前記アクセスポイントのサービスセット識別子の第１のインジケーションと、
前記第１のインジケーションのフォーマットの第２のインジケーションと、
を備え、
前記フレームを送信する、
ための命令を備える、コンピュータ可読記憶媒体。
［Ｃ３８］
前記サービスセット識別子に基づいてハッシュを生成し、
前記ハッシュと等しい値を有するように前記第１のインジケーションを生成する、
ための命令をさらに備える、Ｃ３７に記載のコンピュータ可読記憶媒体。
［Ｃ３９］
前記フレームがハッシュされたサービスセット識別子を含むことを示す値を有するように前記第２のインジケーションを生成するための命令をさらに備える、Ｃ３８に記載のコンピュータ可読記憶媒体。
［Ｃ４０］
前記サービスセット識別子をハッシュすることは、前記サービスセット識別子を切り詰めることを備える、Ｃ３８に記載のコンピュータ可読記憶媒体。
［Ｃ４１］
前記媒体は、前記切り詰められたサービスセット識別子を示すために、前記フレームの制御フィールド中にサービスセット識別子情報フィールドを生成するための命令をさらに備える、Ｃ４０に記載のコンピュータ可読記憶媒体。
［Ｃ４２］
前記ハッシュは、前記ハッシュを前記サービスセット識別子の最初の４オクテットに設定することによって生成される、Ｃ３８に記載のコンピュータ可読記憶媒体。
［Ｃ４３］
前記媒体は、前記第１のインジケーションに記憶された前記ハッシュが前記サービスセット識別子の最初の４オクテットであることを示すために、前記フレームの制御フィールド中にサービスセット識別子情報フィールドを生成するための命令をさらに備える、Ｃ４２に記載のコンピュータ可読記憶媒体。
［Ｃ４４］
前記サービスセット識別子に基づいて前記ハッシュを生成することは、前記サービスセット識別子に基づいて４オクテット周期的冗長検査（ＣＲＣ）値を生成することを備える、Ｃ３８に記載のコンピュータ可読記憶媒体。
［Ｃ４５］
前記フレームがフルレングスのサービスセット識別子を含むことを示す値を有するように前記第２のインジケーションを生成し、
前記サービスセット識別子を含むように前記フレームを生成する
ための命令をさらに備える、Ｃ３７に記載のコンピュータ可読記憶媒体。
［Ｃ４６］
前記フレームを周期的に送信するための命令をさらに備える、Ｃ３７に記載のコンピュータ可読記憶媒体。
［Ｃ４７］
前記フレームは、５００ミリ秒未満の時間間隔で送信される、Ｃ４６に記載のコンピュータ可読記憶媒体。
［Ｃ４８］
高速イニシャルリンクセットアップ発見フレームとして前記フレームを生成するための命令をさらに備える、Ｃ３７に記載のコンピュータ可読記憶媒体。
［Ｃ４９］
ワイヤレスネットワーク上で通信する方法であって、
アクセスポイントから、フレームを受信することと、前記フレームは、
前記アクセスポイントのサービスセット識別子の第１のインジケーションと、
前記第１のインジケーションのフォーマットの第２のインジケーションと、
を備え、
前記アクセスポイントの前記サービスセット識別子を決定するために、前記第２のインジケーションに基づいて前記第１のインジケーションを復号することと、
前記アクセスポイントの前記サービスセット識別子に基づいて前記アクセスポイントと通信することと、
を備える、方法。
［Ｃ５０］
前記第２のインジケーションに基づいて前記第１のインジケーションの長さを決定することと、前記長さに基づいて前記第１のインジケーションを復号することと、をさらに備える、Ｃ４９に記載の方法。
［Ｃ５１］
前記アクセスポイントと通信することは、前記アクセスポイントと関連付けることを含む、Ｃ４９に記載の方法。
［Ｃ５２］
前記アクセスポイントと通信することは、前記アクセスポイントとの１つ以上のメッセージ交換に、前記第１のインジケーションを含めることを備える、Ｃ４９に記載の方法。
［Ｃ５３］
ワイヤレスネットワーク上で通信するための装置であって、
アクセスポイントから、フレームを受信するように構成される受信機と、前記フレームは、
前記アクセスポイントのサービスセット識別子の第１のインジケーションと、
前記第１のインジケーションのフォーマットの第２のインジケーションと、
を備え、
プロセッサと、を備え、前記プロセッサは、
前記アクセスポイントの前記サービスセット識別子を決定するために、前記第２のインジケーションに基づいて前記第１のインジケーションを復号し、
前記アクセスポイントの前記サービスセット識別子に基づいて前記アクセスポイントと通信するように構成される、
装置。
［Ｃ５４］
前記プロセッサは、前記第２のインジケーションに基づいて前記第１のインジケーションの長さを決定し、前記長さに基づいて前記第１のインジケーションを復号するようにさらに構成される、Ｃ５３に記載の装置。
［Ｃ５５］
前記アクセスポイントと通信することは、前記アクセスポイントと関連付けることを含む、Ｃ５３に記載の装置。
［Ｃ５６］
前記アクセスポイントと通信することは、前記アクセスポイントとの１つ以上のメッセージ交換に、前記第１のインジケーションを含めることを備える、Ｃ５３に記載の装置。
［Ｃ５７］
ワイヤレスネットワーク上で通信するための装置であって、
アクセスポイントから、フレームを受信するための手段と、前記フレームは、
前記アクセスポイントのサービスセット識別子の第１のインジケーションと、
前記第１のインジケーションのフォーマットの第２のインジケーションと、
を備え、
前記アクセスポイントの前記サービスセット識別子を決定するために、前記第２のインジケーションに基づいて前記第１のインジケーションを復号するための手段と、
前記アクセスポイントの前記サービスセット識別子に基づいて前記アクセスポイントと通信するための手段と、
を備える、装置。
［Ｃ５８］
前記第２のインジケーションに基づいて前記第１のインジケーションの長さを決定するための手段をさらに備え、
前記第１のインジケーションを復号するための前記手段は、前記長さに基づいて前記第１のインジケーションを復号するように構成される、Ｃ５７に記載の装置。
［Ｃ５９］
通信するための前記手段は、前記第１のインジケーションに基づいて前記アクセスポイントと関連付けるように構成される、Ｃ５７に記載の装置。
［Ｃ６０］
通信するための前記手段は、前記アクセスポイントとの１つ以上のメッセージ交換に、前記第１のインジケーションを含めるように構成される、Ｃ５７に記載の装置。
［Ｃ６１］
実行されるとプロセッサに、ワイヤレスネットワーク上で通信させる命令を備えるコンピュータ可読記憶媒体であって、
アクセスポイントから、フレームを受信し、前記フレームは、
前記アクセスポイントのサービスセット識別子の第１のインジケーションと、
前記第１のインジケーションのフォーマットの第２のインジケーションと、
を備え、
前記アクセスポイントの前記サービスセット識別子を決定するために、前記第２のインジケーションに基づいて前記第１のインジケーションを復号し、
前記アクセスポイントの前記サービスセット識別子に基づいて前記アクセスポイントと通信する
ための命令を備える、コンピュータ可読記憶媒体。
［Ｃ６２］
前記第２のインジケーションに基づいて前記第１のインジケーションの長さを決定するための命令をさらに備え、
前記第１のインジケーションの前記復号は、前記長さに基づく、
Ｃ６１に記載のコンピュータ可読記憶媒体。
［Ｃ６３］
前記アクセスポイントと通信することは、前記アクセスポイントと関連付けることを含む、Ｃ６１に記載のコンピュータ可読記憶媒体。
［Ｃ６４］
前記アクセスポイントと通信することは、前記アクセスポイントとの１つ以上のメッセージ交換において前記第１のインジケーションを含むことを備える、Ｃ６１に記載のコンピュータ可読記憶媒体。